(57)【要約】      （修正有）【課題】センサー機構及び受信機構で釣具から受け取る魚情報を表示して、使用者に魚が釣れたことを知らせる魚情報センサーを提供する。【解決手段】魚情報センサーのセンサー機構は少なくとも、処理中枢となる中央処理ユニット、中央処理ユニットと連接して釣具が受けた外力の変化を感知するセンサーユニット、センサーユニットの変化状況を表示するモニターユニット、この機構が必要とする電力を供給する電源ユニットを含む。本考案は、釣具の適する位置に設置して釣具が受けた魚情報を感知するエネルギーとなる。またこのセンサー機構は無線伝送ユニットと連接し、且つ中央処理ユニット、無線伝送ユニット、モニターユニット及び電源ユニットから構成される受信気候と共に、センサー機構及び受信機構によって、釣具が受けた魚情報エネルギーを表示する。【選択図】図３
0003124658.tif 000002
【実用新案登録請求の範囲】
【請求項１】
釣具の適する位置に設置する魚情報センサーにおいて、
この装置の処理中枢となる中央処理ユニットと、
中央処理ユニットと連接して釣具が受けた外力変化を感知するセンサーユニットと、
中央処理ユニットと連接して、センサーユニットが受けた外力変化の状況を表示するモニターユニットと、
中央処理ユニットと連接して、この装置が必要な電力を供給する電源ユニットを含むことを特徴とする魚情報センサー。
【請求項２】
請求項１記載の魚情報センサーにおいて、前記中央処理ユニット、センサーユニット、モニターユニット及び電源ユニットは、回路板上に設置することを特徴とする魚情報センサー。
【請求項３】
請求項１記載の魚情報センサーにおいて、前記モニターユニットは、ＬＥＤもしくはＬＣＤであることを特徴とする魚情報センサー。
【請求項４】
請求項１記載の魚情報センサーにおいて、前記中央処理ユニット、センサーユニット、モニターユニット及び電源ユニットは、浮力を具えた防水フレーム内に設置され、このフレームはモニターユニットに対応する観測区を具えることを特徴とする魚情報センサー。
【請求項５】
釣具の適する位置に設置する魚情報センサーにおいて、
浮力を具えた防水フレームに観測区を具えるフレームと、
上述のフレーム内に設置し、この機構の処理中枢となる中央処理ユニット、中央処理ユニットと連接して釣具が受けた外力変化を感知するセンサーユニット、中央処理ユニットと連接してセンサーユニットの変化状況を表示するモニターユニット、及び中央処理ユニットと連接してこの機構が必要とする電力を供給する電源ユニットを少なくとも含むセンサー機構から構成され、このモニターユニットは、上述のフレームの観測区に対応することを特徴とする魚情報センサー。
【請求項６】
請求項５記載の魚情報センサーにおいて、前記中央処理ユニット、センサーユニット、モニターユニット、及び電源ユニットは、回路板上に設置することを特徴とする魚情報センサー。
【請求項７】
請求項５記載の魚情報センサーにおいて、前記モニターユニットは、ＬＥＤもしくはＬＣＤとすることを特徴とする魚情報センサー。
【請求項８】
釣具の適する位置に設置する魚情報センサーにおいて、
少なくともこの機構の処理中枢となる中央処理ユニット、中央処理ユニットと連接して釣具が受けた外力変化を感知するセンサーユニット、中央処理ユニットと連接してセンサーユニットの変化状況を表示するモニターユニット、及び中央処理ユニットと連接し、無線方式でセンサーユニットの変化信号を伝送する無線伝送ユニット、及びこの機構が必要とする電力を供給する電源ユニットを含むセンサー機構と、
上述のセンサー機構が発した信号を受信し、少なくともこの機構の処理中枢となる中央処理ユニット、中央処理ユニットと連接して上述の無線伝送ユニット信号を受信する無線受信ユニット、中央処理ユニットと連接して無線受信ユニットが受信した状況を表示するモニターユニット、及び中央処理ユニットと連接してこの機構が必要とする電力を供給する電源ユニットを含む受信機構から構成されることを特徴とする魚情報センサー。
【請求項９】
請求項８記載の魚情報センサーにおいて、前記センサー機構のモニターユニットは、ＬＥＤもしくはＬＣＤとすることを特徴とする魚情報センサー。
【請求項１０】
請求項８記載の魚情報センサーにおいて、前記センサー機構の中央処理ユニット、センサーユニット、モニターユニット、無線伝送ユニット及び電源ユニットは、回路板上に設置し、且つ浮力を具えた防水フレーム内に設置し、またそのフレームは、モニターユニットに対応する観測区を具えることを特徴とする魚情報センサー。
【請求項１１】
請求項８記載の魚情報センサーにおいて、前記受信機構の中央処理ユニット、無線受信ユニット、モニターユニット及び電源ユニットは、回路板上に設置し、フレーム内に設置することを特徴とする魚情報センサー。
【請求項１２】
請求項８記載の魚情報センサーにおいて、前記受信機構のモニターユニットは、発光部品、音声部品もしくは振動部品とすることを特徴とする魚情報センサー。
【考案の詳細な説明】
【技術分野】
【０００１】
本考案は、魚情報センサーに関するもので、特にセンサー機構及び受信機構で釣具から受け取る魚情報を表示するものである。
【背景技術】
【０００２】
一般の釣具は少なくとも釣竿、釣竿に設置した釣糸、釣糸に設置した浮き、及び釣竿に設置したリールを含み、魚釣りに使用される。
【０００３】
公知の釣具を使用する場合、使用者は魚釣りをしている間は浮きの動きを監視し続けるか、もしくは引きを感じるために釣竿を持ち続けていなければならない。このため、使用者は目や手が疲れやすい。更に水面もしくは海面に浮く浮きをじっと見つめているため、魚が釣れたような錯覚を起こしたり、釣竿を持ち続けて手が痺れ、引きの感覚が遅くなってしまったりするため、釣糸を巻き上げるタイミングを逃してしまう点である。
【考案の開示】
【考案が解決しようとする課題】
【０００４】
本考案の主要目的は、上述の欠点を改善し、釣具が受けた魚情報エネルギーを感知してセンサー機構及び受信機構のモニターユニット、もしくは二者択で表示する。
【０００５】
上述の目的のため、本考案の魚情報センサーは、センサー機構を含み、そのセンサーは、少なくともこの機構処理中枢となる中央処理ユニット、中央処理ユニットと連接して釣具が受けた外力の変化を感知するセンサーユニット、中央処理ユニットと連接してセンサーユニットの変化状況を表示するモニターユニット、及び中央処理ユニットと連接してこの機構が必要とする電力を供給する電源ユニットを含む。本考案は、釣具の適する位置に設置して釣具が受けた魚情報エネルギーを感知する。またセンサー機構に無線伝送ユニットを連接し、且つ中央処理ユニット、無線伝送ユニット、モニターユニット及び電源ユニットから構成される受信機構と合わせ、センサー機構及び受信機構が釣具の受けた魚情報エネルギーを表示する。
【課題を解決するための手段】
【０００６】
請求項１の考案は、釣具の適する位置に設置する魚情報センサーにおいて、
この装置の処理中枢となる中央処理ユニットと、
中央処理ユニットと連接して釣具が受けた外力変化を感知するセンサーユニットと、
中央処理ユニットと連接して、センサーユニットが受けた外力変化の状況を表示するモニターユニットと、
中央処理ユニットと連接して、この装置が必要な電力を供給する電源ユニットを含むことを特徴とする魚情報センサーとしている。
請求項２の考案は、請求項１記載の魚情報センサーにおいて、前記中央処理ユニット、センサーユニット、モニターユニット及び電源ユニットは、回路板上に設置することを特徴とする魚情報センサーとしている。
請求項３の考案は、請求項１記載の魚情報センサーにおいて、前記モニターユニットは、ＬＥＤもしくはＬＣＤであることを特徴とする魚情報センサーとしている。
請求項４の考案は、請求項１記載の魚情報センサーにおいて、前記中央処理ユニット、センサーユニット、モニターユニット及び電源ユニットは、浮力を具えた防水フレーム内に設置され、このフレームはモニターユニットに対応する観測区を具えることを特徴とする魚情報センサーとしている。
【０００７】
請求項５の考案は、釣具の適する位置に設置する魚情報センサーにおいて、
浮力を具えた防水フレームに観測区を具えるフレームと、
上述のフレーム内に設置し、この機構の処理中枢となる中央処理ユニット、中央処理ユニットと連接して釣具が受けた外力変化を感知するセンサーユニット、中央処理ユニットと連接してセンサーユニットの変化状況を表示するモニターユニット、及び中央処理ユニットと連接してこの機構が必要とする電力を供給する電源ユニットを少なくとも含むセンサー機構から構成され、このモニターユニットは、上述のフレームの観測区に対応することを特徴とする魚情報センサーとしている。
請求項６の考案は、請求項５記載の魚情報センサーにおいて、前記中央処理ユニット、センサーユニット、モニターユニット、及び電源ユニットは、回路板上に設置することを特徴とする魚情報センサーとしている。
請求項７の考案は、請求項５記載の魚情報センサーにおいて、前記モニターユニットは、ＬＥＤもしくはＬＣＤとすることを特徴とする魚情報センサーとしている。
【０００８】
請求項８の考案は、釣具の適する位置に設置する魚情報センサーにおいて、
少なくともこの機構の処理中枢となる中央処理ユニット、中央処理ユニットと連接して釣具が受けた外力変化を感知するセンサーユニット、中央処理ユニットと連接してセンサーユニットの変化状況を表示するモニターユニット、及び中央処理ユニットと連接し、無線方式でセンサーユニットの変化信号を伝送する無線伝送ユニット、及びこの機構が必要とする電力を供給する電源ユニットを含むセンサー機構と、
上述のセンサー機構が発した信号を受信し、少なくともこの機構の処理中枢となる中央処理ユニット、中央処理ユニットと連接して上述の無線伝送ユニット信号を受信する無線受信ユニット、中央処理ユニットと連接して無線受信ユニットが受信した状況を表示するモニターユニット、及び中央処理ユニットと連接してこの機構が必要とする電力を供給する電源ユニットを含む受信機構から構成されることを特徴とする魚情報センサーとしている。
請求項９の考案は、請求項８記載の魚情報センサーにおいて、前記センサー機構のモニターユニットは、ＬＥＤもしくはＬＣＤとすることを特徴とする魚情報センサーとしている。
請求項１０の考案は、請求項８記載の魚情報センサーにおいて、前記センサー機構の中央処理ユニット、センサーユニット、モニターユニット、無線伝送ユニット及び電源ユニットは、回路板上に設置し、且つ浮力を具えた防水フレーム内に設置し、またそのフレームは、モニターユニットに対応する観測区を具えることを特徴とする魚情報センサーとしている。
請求項１１の考案は、請求項８記載の魚情報センサーにおいて、前記受信機構の中央処理ユニット、無線受信ユニット、モニターユニット及び電源ユニットは、回路板上に設置し、フレーム内に設置することを特徴とする魚情報センサーとしている。
請求項１２の考案は、請求項８記載の魚情報センサーにおいて、前記受信機構のモニターユニットは、発光部品、音声部品もしくは振動部品とすることを特徴とする魚情報センサーとしている。
【考案の効果】
【０００９】
本考案の魚情報センサーは、公知の欠点を改善し、釣具が受けた魚情報エネルギーを感知し、センサー機構及び受信機構のモニターユニット、もしくは二者択一の表示で魚が釣れたことを知らせるという利点がある。
【考案を実施するための最良の形態】
【００１０】
図１、２及び図３に示すのは、第一実施例の立体外観表示図、第二実施例の立体外観表示図及び本考案センサーの基本構造表示図である。図に示すとおり、本考案は、魚情報センサーで、フレーム１及びセンサー機構２から構成され、釣具の適する位置に設置され、釣具が受け取る魚情報エネルギーを感知し、センサー機構２で表示する。
【００１１】
上述のフレーム１は、浮力を具えた防水フレームで、そのフレーム１には観測区１１が具わる。またその観測区１１はフレーム１の一端（図１参照）、もしくはフレーム１の一側面(図２参照)に設置される。
【００１２】
このセンサー機構２は、上述のフレーム１内に設置され、センサー機構２は、少なくともこの機構処理中枢の中央処理ユニット２１、中央処理ユニット２１と連接して釣具が受けた外力の変化を感知するセンサーユニット２２、中央処理ユニット２１と連接し、且つ観測区１１に対応してセンサーユニット２２の変化状況を表示するモニターユニット２３、及び中央処理ユニット２１と連接してこの機構が必要とする電力を供給する電源ユニット２４を含む。また、中央処理ユニット２１、センサーユニット２２、モニターユニット２３及び電源ユニット２４は回路板２５条に設置され、且つモニターユニット２３は、ＬＥＤもしくはＬＣＤとする。上述の構造によって魚情報センサーが構成される。
【００１３】
図３、４、５及び図６が示すのは、本考案の基本構造表示図、及び第一使用例表示図、第二使用例表示図、第三使用例表示図である。これらの図が示すとおり、本考案と釣竿３を共に使用した場合第一使用例では釣糸３１の適する位置に浮きとして使用するもので（図４参照）、第二使用例では、釣竿３の一端に使用する（図５参照）。またはセンサー機構２を直接釣竿３の異端に設置するものである（図６参照）。設置完了後、使用者は一般の方法で釣りを行う。魚がかかると、釣糸３１と釣竿３が引っ張られ、センサーユニット２２が釣糸３１と釣竿３が受けた外力の変化を感知し、中央処理ユニット２１センサーユニット２が感知した信号を処理し、受信したセンサー信号をモニターユニット２３へ伝送し、表示する。モニターユニット２３が表示した明かりもしくはその他の表示信号によって、使用者は魚が釣れたことを知る。
【００１４】
図７，８に示すのは、本考案の第三実施例の立体外観表示図と、本考案第三実施例の基本構造表示図である。図の示すとおり、本考案は別にセンサー機構４及び受信機構５から構成され、釣具の適する位置に設置し、釣具が受けた魚情報エネルギーを感知し、センサー機構４から表示する。
【００１５】
上述に提示したセンサー機構４には、少なくともひとつのこの機構処理中枢である中央処理ユニット４１、中央処理ユニット４１と連接して釣具が受けた外力の変化感知するセンサーユニット４２、中央処理ユニット４１と連接してセンサーユニット４２の変化状況を表示するモニターユニット４３、中央処理ユニット４１と連接して無線方式でセンサーユニット４２の変化信号を伝送する無線伝送ユニット４４、中央処理ユニット４１と連接してこの機構に必要な電力を供給する電源ユニット４５を含む。またセンサー機構４の中央処理ユニット４１、センサーユニット４２、モニターユニット４３、無線伝送ユニット４４及び電源ユニット４５は、回路板４６に設置し、このセンサー機構４のモニターユニット４３はＬＥＤもしくはＬＣＤとする。更に回路板４６に設置する中央処理ユニット４１、センサーユニット４２、モニターユニット４３、無線伝送ユニット４４、電源ユニット４５は、浮力を具えた防水フレーム４０内に設置する。またそのフレーム４０は、モニターユニット４３に対応する観測区４７を具え、その観測区４７フレーム４０の一端に設置するか、フレーム４０の一側面に設置する。
【００１６】
受信機構５は、上述のセンサー機構４が発した信号を受信するものである。この受信機構５は、少なくとも機構処理中枢となる中央処理ユニット５１、中央処理ユニット５１と連接して上述の無線伝送ユニット４４の信号を受信する無線受信ユニット５２、中央処理ユニット５１と連接して無線受信ユニット５２が受信した状況をモニターするモニターユニット５３、及び中央処理ユニット５１と連接してこの機構が必要する電力を供給する電源ユニット５４を含む。またこの受信機構５の中央処理ユニット５１、無線受信ユニット５２、モニターユニット５３及び電源ユニット５４は、回路板５５に設置し、回路板５５に設置した中央処理ユニット５１、無線受信ユニット５２、モニターユニット５３及び電源ユニット５４は、フレーム５０内に設置し、且つ受信機構５のモニターユニット５３は、発光部品５３１、音声部品５３２もしくは振動部品５３３とする。
【００１７】
図８，９に示すのは、本考案第三実施例の基本構造表示図及び第三実施例の使用状態表示図である。図に示すとおり、第三実施例と釣竿３を合わせて使用する時、センサー機構４は、釣糸３１の適する位置に設置して浮きとして使用するか、もしくは釣竿３の一端に設置して使用する。またはセンサー機構４を釣竿３内の一端に直接してもよい。今、釣糸３１の適する位置に設置して浮きとして使用する例を提示したが、設置が完了すると、使用者は一般の方法で釣りを行う。魚が釣れると、釣糸３１と釣竿３が引っ張られ、センサー機構４のセンサーユニット４２が釣糸３１と釣竿３が受けた外力の変化を感知し、中央処理ユニット４１がセンサーユニット４２の感知信号を処理すると、受信した感知信号をモニターユニット２３へ伝送し、表示するか、もしくはセンサーユニット４２の感知信号を中央処理ユニット４１で処理した後、無線受信ユニット５２で受信した信号を処理して、受信した感知信号をモニターユニット５３へ伝送し、表示する。モニターユニット５３は発光部品５３１、音声部品５３２もしくは振動ユニット５３３で発光、発声もしくは振動表示して使用者に魚が釣れたことを知らせる。
【図面の簡単な説明】
【００１８】
【図１】本考案の第一実施例の立体外観表示図である。
【図２】本考案の第二実施例の立体外観表示図である。
【図３】本考案のセンサーの基本構造表示図である。
【図４】本考案の第一使用例表示図である。
【図５】本考案の第二使用例表示図である。
【図６】本考案の第三使用例表示図である。
【図７】本考案の第三実施例の立体外観表示図である。
【図８】本考案の第三実施例の基本構造表示図である。
【図９】本考案の第三実施例の使用状態表示図である。
【符号の説明】
【００１９】
１        フレーム
１１        観測区
２        センサー機構
２１        中央処理ユニット
２２        センサーユニット
２３        モニターユニット
２４        電源ユニット
２５        回路板
３        釣竿
３１        釣糸
４        センサー機構
４０        フレーム
４１        中央処理ユニット
４２        センサーユニット
４３        モニターユニット
４４        無線伝送ユニット
４５        電源ユニット
４６        回路板
４７        観測区
５        受信機構
５０        フレーム
５１        中央処理ユニット
５２        無線受信ユニット
５３        モニターユニット
５３１        発光部品
５３２        音声部品
５３３        振動部品
５４        電源ユニット
５５        回路板
【図１】
0003124658.tif 000003
【図２】
0003124658.tif 000004
【図３】
0003124658.tif 000005
【図４】
0003124658.tif 000006
【図５】
0003124658.tif 000007
【図６】
0003124658.tif 000008
【図７】
0003124658.tif 000009
【図８】
0003124658.tif 000010
【図９】
0003124658.tif 000011